(57)【要約】【課題】超音波照射器において患部を治療し易くすることを課題とする。【解決手段】患部Ａに対して超音波を照射して治療を行う超音波治療器Ｔであって、超音波を照射可能な照射面が形成された超音波振動子１１と超音波振動子１１を支持する第一筐体とを有する第一ユニット１と、入力された超音波の設定値に応じて超音波振動子１１の駆動信号を生成する制御器を収容する第二筐体とを有する第二ユニットと、を備え、第一筐体１には、第一筐体１の厚さ方向の一方側に超音波振動子１１が設けられていると共に他方側に前記設定値を表示可能な表示器１３が設けられ、さらに、第一筐体１１の幅方向に対をなす一対の側部１２ｃ，１２ｄには、片手の指Ｆ１〜Ｆ５を沿わせるようにガイドする凹状のガイド部１２ｇ，１２ｈが形成され、ガイド部１２ｇ，１２ｈに指Ｆ１〜Ｆ５を沿わせて第一筐体１１を挟持した場合に、表示器１３が外部に露出することを特徴とする。【選択図】図１１
2012115442.tif 000002
【特許請求の範囲】
【請求項１】
患部に対して超音波を照射して治療を行う超音波治療器であって、
前記超音波を照射可能な照射面が形成された超音波振動子と前記超音波振動子の照射面を外部に露出させた状態で前記超音波振動子を支持する第一筐体とを有する第一ユニットと、
外部から入力された前記超音波の設定値に応じて前記超音波振動子の駆動信号を生成する制御器と前記制御器を収容する第二筐体とを有する第二ユニットと、を備え、
前記第一筐体には、前記第一筐体の厚さ方向の一方側に前記超音波振動子が設けられていると共に前記第一筐体の厚さ方向の他方側に前記超音波の設定値を表示可能な表示器が設けられ、さらに、前記第一筐体の幅方向に対をなす一対の側部には、前記施術者に対して片手の指を沿わせるようにガイドする凹状のガイド部が形成され、
前記施術者が前記ガイド部に指を沿わせて前記第一筐体を挟持した場合に、前記表示器が外部に露出することを特徴とする超音波治療器。
【請求項２】
前記一対の側部は、前記第一筐体の長手方向一端側から基端側に向けて延びており、
前記ガイド部は、前記一対の側部に沿って延びていることを特徴とする請求項１に記載の超音波治療器。
【請求項３】
前記ガイド部は、少なくとも前記表示器を挟む位置に設けられていることを特徴とする請求項１又は２に記載の超音波治療器。
【請求項４】
前記表示器は、前記第一筐体の長手方向の一端側に設けられていることを特徴とする請求項１から３のうちいずれか一項に記載の超音波治療器。
【請求項５】
前記超音波振動子と前記表示器とは、相互に背向する位置に設けられていることを特徴とする請求項１から４のうちいずれか一項に記載の超音波治療器。
【請求項６】
請求項１から５のうちいずれか一項に記載の超音波治療器と、
前記第一ユニットの、前記第一筐体の厚さ方向の一方側に嵌合可能に形成された座面を有し、前記第一ユニットを前記座面に着座可能な台座と、
を具備することを特徴とする超音波治療装置。
【請求項７】
前記台座は、前記第一ユニットを前記台座に着座させた状態において、前記ガイド部に対向して前記第一ユニットとの間にポケットを形成する窪み部が形成されていることを特徴とする請求項６に記載の超音波治療装置。
【発明の詳細な説明】
【技術分野】
【０００１】
本発明は超音波治療器及び超音波治療装置に関する。
【背景技術】
【０００２】
従来、患部に対して超音波を照射して、患部の治療促進効果を図る超音波治療器が知られている。
【０００３】
この超音波治療器としては、超音波を照射可能な照射面が形成された超音波振動子と超音波振動子の照射面を外部に露出させた状態で超音波振動子を支持する筐体とを有する超音波プローブと、外部から入力された超音波の設定値に基づいて超音波振動子の駆動信号を生成する制御器と制御器を収容する筐体とを有する超音波治療器本体と、を備えたものがある（関連する技術として下記特許文献１）。
【先行技術文献】
【特許文献】
【０００４】
【特許文献１】特開２００１−２５４６８号公報
【発明の概要】
【発明が解決しようとする課題】
【０００５】
ところで、上述の超音波治療器を用いて患部を治療する際には、通常、患部と超音波プローブとに位置ずれが生じないように双方の位置関係を確認しつつ超音波を照射する。
しかしながら、従来の超音波治療器は、超音波の設定値を表示する表示器が超音波治療器本体に設けられているので、患部の治療中において超音波の設定値を変更する場合に、超音波治療器本体の表示器へ視線を向けなければならず、超音波プローブと患部とに位置ずれが生じて治療し難いという不都合がある。この不都合を解消する手段としては、超音波プローブに表示器を設けて、患部と超音波プローブとから視線を変更させないようにする構成が考えられる。
【０００６】
しかしながら、上記の構成においては、超音波プローブを不作為に把持した場合に、表示器を手で覆ってしまって表示器が視認し難くなることがあった。この場合には、表示器が視認できるように筐体を把持し直さなければならないので、治療し難くなってしまうという問題があった。
【０００７】
本発明は、このような事情を考慮してなされたもので、超音波照射器において患部を治療し易くすることを課題とする。
【課題を解決するための手段】
【０００８】
上記目的を達成するために、本発明は以下の手段を採用している。
すなわち、本発明に係る超音波治療器は、患部に対して超音波を照射して治療を行う超音波治療器であって、前記超音波を照射可能な照射面が形成された超音波振動子と前記超音波振動子の照射面を外部に露出させた状態で前記超音波振動子を支持する第一筐体とを有する第一ユニットと、外部から入力された前記超音波の設定値に応じて前記超音波振動子の駆動信号を生成する制御器と前記制御器を収容する第二筐体とを有する第二ユニットと、を備え、前記第一筐体には、前記第一筐体の厚さ方向の一方側に前記超音波振動子が設けられていると共に前記第一筐体の厚さ方向の他方側に前記超音波の設定値を表示可能な表示器が設けられ、さらに、前記第一筐体の幅方向に対をなす一対の側部には、前記施術者に対して片手の指を沿わせるようにガイドする凹状のガイド部が形成され、前記施術者が前記ガイド部に指を沿わせて前記第一筐体を挟持した場合に、前記表示器が外部に露出することを特徴とする。
この構成によれば、施術者に対して片手の指を沿わせるガイド部が一対の側部に形成されているので、施術者が不作為に第一筐体を片手で把持しようとした場合に、ガイド部に指を沿わせるようにガイドされる。
また、施術者がガイド部に指を沿わせて第一筐体を挟持した場合に、表示器が外部に露出するので、片手の指をガイド部に沿わせた状態で第一筐体を挟持すると、表示器が露出して視認可能となる。これにより、第一筐体を把持する場合に、表示器が手で覆われて視認不能となることを抑制することができる。従って、第一筐体を把持し直す必要がなくなるので、患部を治療し易くすることができる。
【０００９】
また、前記一対の側部は、前記第一筐体の長手方向一端側から基端側に向けて延びており、前記ガイド部は、前記一対の側部に沿って延びていることを特徴とする。
この構成によれば、一対の側部が第一筐体の長手方向一端側から基端側に向けて延びており、ガイド部が一対の側部に沿って延びているので、第一筐体の長手方向においてガイド部を比較的に大きく確保することができる。これにより、第一筐体を安定して支持することが可能となる。
【００１０】
また、前記ガイド部は、少なくとも前記表示器を挟む位置に設けられていることを特徴とする。
この構成によれば、ガイド部が表示器を挟む位置に設けられているので、指と指との隙間から表示器を露出させる構成が可能となる。これにより、装置構成をコンパクトにすることができる。
【００１１】
また、前記表示器は、前記第一筐体の長手方向の一端側に設けられていることを特徴とする。
この構成によれば、表示器が第一筐体の長手方向の一端側に設けられているので、第一筐体の中央側に表示器を設ける場合に比べて、施術者の片手によって把持される部分を第一筐体の長手方向の基端側に大きく確保することが可能となる。
【００１２】
また、前記超音波振動子と前記表示器とは、相互に背向する位置に設けられていることを特徴とする。
この構成によれば、超音波振動子と表示器とが相互に背向する位置に設けられているので、超音波振動子が当接する患部と表示器とが近接する。これにより、患部に超音波を照射する場合に表示器が確認し易くなり、さらに患部を治療し易くすることができる。
【００１３】
さらに、本発明に係る超音波治療装置は、上記のうちいずれかの超音波治療器と、前記第一ユニットの、前記第一筐体の厚さ方向の一方側に嵌合可能に形成された座面を有し、前記第一ユニットを前記座面に着座可能な台座と、を具備することを特徴とする。
この構成によれば、第一ユニットの、第一筐体の厚さ方向の一方側に嵌合可能に形成された座面を有し、第一ユニットを座面に着座可能な台座を有しているので、第一ユニットを座面に着座させることで治療開始前の第一ユニットの姿勢が定まる。これにより、治療開始時において第一ユニットのガイド部を容易に把持することが可能となる。
【００１４】
また、前記台座は、前記第一ユニットを前記台座に着座させた状態において、前記ガイド部に対向して前記第一ユニットとの間にポケットを形成する窪み部が形成されていることを特徴とする。
この構成によれば、ガイド部に対向して第一ユニットとの間にポケットを形成する窪み部が形成されているので、治療開始時にポケットに指を挿入することより、第一筐体のガイド部を容易に把持することができる。
【発明の効果】
【００１５】
本発明に係る超音波治療器及び超音波治療装置によれば、超音波照射器において患部の治療を容易に行うことができる。
【図面の簡単な説明】
【００１６】
【図１】本発明の実施形態に係る超音波治療装置Ｕの概略構成斜視図である。
【図２】本発明の実施形態に係る超音波治療装置Ｕのブロック図である。
【図３】本発明の実施形態に係る第一ユニット１の概略構成斜視図である。
【図４】本発明の実施形態に係る第一ユニット１の平面図である。
【図５】本発明の実施形態に係る第一ユニット１の側面図である。
【図６】本発明の実施形態に係る第一ユニット１の正面図である。
【図７】本発明の実施形態に係る第一ユニット１の下面図である。
【図８】本発明の実施形態に係る台座３の平面図である。
【図９】本発明の実施形態に係る台座３の側面図である。
【図１０】本発明の実施形態に係る第一ユニット１の治療開始時の把持方法を示す斜視図である。
【図１１】本発明の実施形態に係る第一ユニット１の超音波照射時の把持方法を示す斜視図である。
【図１２】本発明の実施形態に係る第一ユニット１の超音波の設定値の変更方法を示す斜視図である。
【発明を実施するための形態】
【００１７】
以下、図面を参照し、本発明の実施形態について説明する。
図１は本発明の実施形態に係る超音波治療装置Ｕの概略構成斜視図である。
図１に示すように、超音波治療装置Ｕは、第一ユニット１と第二ユニット２とを有する超音波治療器Ｔと、台座３とを具備している。
【００１８】
図２は超音波治療器Ｔのブロック図であり、図３は第一ユニット１の概略構成斜視図であり、図４は第一ユニット１の平面図であり、図５は第一ユニット１の側面図であり、図６は第一ユニット１の正面図であり、図７は第一ユニット１の下面図である。
なお、図１は第一ユニット１を台座３に着座させた状態で示しているのに対して、図３は第一ユニット１を台座３から離間させた状態で示している。
【００１９】
第一ユニット１は、図２に示すように、超音波を照射可能な照射面１１ａ（図５〜図７参照）が形成された超音波振動子１１と、超音波振動子の照射面１１ａを外部に露出させた状態で超音波振動子１１を支持する第一筐体１２と、第一筐体１２に設けられ、超音波の設定値を表示可能な表示器１３と、第一筐体１２に設けられ、超音波の設定値を変更操作可能な操作キー１４と、緊急時等に警告音を出力するブザー１５と、表示器１３、操作キー１４及びブザー１５と第二ユニット２の制御器２１（後述する。）との間で各種信号のやり取りを行うインターフェース１６とを備えている。
【００２０】
超音波振動子１１は、電気信号を印加すると超音波振動する圧電素子が、円盤状に形成された金属筐体の内部に収容されたものである（図５〜図７参照）。この超音波振動子１１は、制御器２１から供給される駆動信号に応じた超音波を照射面１１ａから照射する。
【００２１】
第一筐体１２は、合成樹脂等からなり、扁平状に形成され、図４及び図７に示すように、平面視した場合に小判形状となっている。この第一筐体１２は、図５及び図６に示すように、第一筐体１２の厚さ方向の一方側に基板部１２ａが、第一筐体１２の厚さ方向の他方側に主板部１２ｂが形成されている。
【００２２】
この第一筐体１２は、図５及び図６に示すように、それぞれ容器状（皿状）に形成された主板側部材１７と基板側部材１８とで構成されている。
主板側部材１７は、図５及び図６に示すように、平坦状に形成された天壁１７ａと、この天壁１７ａの周縁から天壁１７ａの周囲に向けて延出すると共に延出方向を次第に下方側に向ける側周壁１７ｂとを備えている。図４に示すように、天壁１７ａには、表示器１３を視認可能に被覆するための透明窓１７ｃと、操作キー１４を突出させるための貫通孔１７ｄとが、主板側部材１７の長手方向一方側から他方側に向けて上記の順に形成されている。
【００２３】
基板側部材１８は、図５及び図６に示すように、平坦状に形成された底壁１８ａと、この底壁１８ａの周縁から底壁１８ａの周囲に向けて延出すると共に延出方向を次第に上方側に向ける側周壁１８ｂとを備えている。底壁１８ａの、基板側部材１８の長手方向一方側においては、超音波振動子１１を突出させるための円孔１８ｃが穿孔されている。
【００２４】
これら主板側部材１７と基板側部材１８は、側周壁１７ｂの先端と側周壁１８ｂの先端とが互いに突き合わされることにより、第一筐体１２を構成していると共に第一筐体１２の内部空間を画定している。つまり、主板側部材１７の天壁１７ａが第一筐体１２の主板部１２ｂに、基板側部材１８の底壁１８ａが第一筐体１２の基板部１２ａにそれぞれ相当しており、側周壁１７ｂと側周壁１８ｂとが第一筐体１２の周壁１２ｘを構成している。
【００２５】
このような構成の第一筐体１２は、図５及び図６に示すように、基板部１２ａの円孔１８ｃから超音波振動子１１が、第一筐体１２の厚さ寸法の略半分程度の寸法だけ突出している。また、図４及び図６に示すように、第一筐体１２の円弧基端部１２ｆにおいては、周壁１２ｘから、第二ユニット２に接続された接続コード１９が延出している。
【００２６】
また、図４に示すように、第一筐体１２の周壁１２ｘにおいて、第一筐体１２の幅方向に対をなすと共に第一筐体１２の長手方向にそれぞれ延びる一側部（側部）１２ｃ及び他側部（側部）１２ｄには、凹状に形成されたガイド部１２ｇ，１２ｈが形成されている。
【００２７】
ガイド部１２ｇ，１２ｈは、図５に示すように、第一筐体１２を構成する主板側部材１７に形成されており、それぞれ一側部１２ｃ及び他側部１２ｄに沿って延びている。
このガイド部１２ｇ，１２ｈは、図４に示すように、第一筐体１２の長手方向において、表示器１３よりも第一筐体１２の円弧先端部１２ｅ側から円弧基端部１２ｆ側に延びており、円弧基端部１２ｆにおいて幅方向に折れ曲がった後に接続コード１９に向けて延びている。
【００２８】
ガイド部１２ｇ，１２ｈは、図４に示すように、第一筐体１２の幅方向の寸法を絞る（狭める）ようにして形成されている。このガイド部１２ｇ，１２ｈは、円弧先端部１２ｅ側から円弧基端部１２ｆ側に進むに従って、漸次絞り量を大きくした後に略一定の絞り量となるように形成されている。
また、ガイド部１２ｇ，１２ｈは、図５に示すように、主板側部材１７の側周壁１７ｂの外面において、側周壁１８ｂの先端と突き合わされた側周壁１７ｂの先端から底壁１８ａ側に亘って形成されている
【００２９】
表示器１３は、具体的にはＬＣＤであり、図３及び図４に示すように、第一筐体１２の主板部１２ｂの透明窓１７ｃに重なるように配設されており、超音波振動子１１に背向している。この表示器１３は、出力値、デューティ比等の超音波の設定値のほか、予め記憶部（不図示）に記憶させた治療プログラムの番号やバッテリー残量、タイマー等を表示する。
【００３０】
操作キー１４は、図３及び図５に示すように、主板部１２ｂの貫通孔１７ｄから第一筐体１２の厚さ方向に突出しており、超音波振動子１１の超音波の設定値を変更可能である。より具体的には、操作キー１４は、押下に応じてインターフェース１６（図２参照）に対して操作信号を出力し、この操作信号がインターフェース１６を介して制御器２１に入力されるようになっている。
【００３１】
ブザー１５は、例えば過大な出力値が入力された場合や電源に異常が生じた場合に、この異常を検知したインターフェース１６あるいは制御器２１から供給される信号に基づいて、警告音を出力する。
【００３２】
インターフェース１６は、電子部品が実装されたプリント基板からなり、第二ユニット２から第一ユニット１へと入力される入力信号及び第一ユニット１から第二ユニット２へと出力される出力信号を総括する。すなわち、インターフェース１６は、制御器２１から入力された入力信号が、表示器１３に表示する情報や文字に関連するものであった場合に、この情報や文字に対応する表示信号を表示器１３に出力する。また、操作キー１４から操作信号が入力されると、この操作信号に対応する出力信号を制御器２１に対して出力する。同様に、インターフェース１６が異常を検知したり、あるいは、制御器２１からの入力信号が異常を指し示すものであったりした場合に、ブザー１５に警告音を出力させるための信号を供給する。
【００３３】
第二ユニット２は、図２に示すように、制御器２１と、第二筐体２２とを備えている。
制御器２１は、具体的には単数又は複数のプリント基板に各種電子部品が実装されて構成されており、図２に示すように、外部電源から電力が供給されるようになっている。この制御器２１は、メイン制御部２１Ａと駆動信号生成部２１Ｂとを有している。
【００３４】
メイン制御部２１Ａは、第一筐体１２のインターフェース１６と各種信号の授受を行う他、インターフェース１６を介して操作キー１４から操作信号が入力されると、操作信号に応じて設定値を変更し、変更された設定値に応じた駆動信号を駆動信号生成部２１Ｂに生成させる。
駆動信号生成部２１Ｂは、メイン制御部２１Ａに制御されて駆動信号を生成すると共に、生成した駆動信号を超音波振動子１１に出力する。
【００３５】
第二筐体２２は、合成樹脂等からなり、図１に示すように、箱型に形成されて制御器２１を収容している。この第二筐体２２の一端には、制御器２１と第一ユニット１とを接続する接続コード１９が延出している。
【００３６】
図８は台座３の平面図であり、図９は台座３の側面図である。
台座３は、図３、図８及び図９に示すように、第一ユニット１の基板部１２ａ側に嵌合可能に形成された座面３１を有している。
座面３１は、図９に示すように、台座３の長手方向における先端３ａ側が基端３ｂ側よりも高くなるように、底部３２に対して傾斜して形成されている。この座面３１の先端３ａ側には、超音波振動子１１を挿入収容可能な収容孔３３が形成されている。つまり、座面３１は、第一ユニット１の長手方向を台座３の長手方向に向けた状態で、超音波振動子１１を収容孔３３に収容すると共に第一ユニット１の基板部１２ａ側を嵌合させるようになっている。
このような構成により、台座３は、図１及び図３に示すように、第一ユニット１を着座・離間可能となっている。
【００３７】
この台座３の幅方向における両側部には、図３に示すように、窪み部３４，３５が形成されている。この窪み部３４，３５は、座面３１の角縁部を切り欠くようにして形成されており、図１に示すように、座面３１に第一ユニット１を着座させた場合において、ガイド部１２ｇ，１２ｆに対向する位置に形成されている。
このような窪み部３４，３５は、第一ユニット１が台座３の座面３１に着座した状態において（図１参照）、台座３と第一ユニット１との間に、それぞれ成人男性の指Ｆ１〜Ｆ５が挿入可能な大きさのポケット３６，３７を形成する。
【００３８】
次に、上記の構成からなる超音波治療装置Ｕを用いた超音波治療方法について、主に図１０から図１２を用いて説明する。以下の説明においては、施術者と治療者とが異なる者である場合について説明する。また、以下の説明においては、予め超音波の初期設定値が入力されているものとし、第一筐体１２を右手で把持する場合について説明する。
【００３９】
まず、図１及び図１０に示すように、第一ユニット１が台座３の座面３１に着座している状態において、施術者が第一ユニット１を把持する。この際、図１０に示すように、施術者の指Ｆ１〜Ｆ５が、ポケット３６，３７に挿入するように促される。この場合には、図１０に示すように、四本指Ｆ２〜Ｆ５をポケット３７に挿入すると、右手の親指Ｆ１の挿入位置が定まり、主板部１２ｂの円弧基端部１２ｆ側が掌Ｆ０によって覆われる。なお、この際、ポケット３７に指Ｆ２〜Ｆ５のうち一部を挿入したとしても右手の親指Ｆ１の挿入位置が概ね定まることとなる。
このような状態で、施術者が第一ユニット１を台座３から離間させる。
【００４０】
次に、施術者が超音波振動子１１を患部Ａに当接させ易いように、第一筐体１２を以下のようにして把持する。具体的には、ガイド部１２ｇ，１２ｈによって施術者の指Ｆ１〜Ｆ５（右手）がガイドされて、親指Ｆ１を第一ユニット１の一側部１２ｃに沿わす一方、親指Ｆ１以外の四本指Ｆ２〜Ｆ５を他側部１２ｄに沿わして、第一筐体１２を挟持する。この場合においては、主板部１２ｂの円弧基端部１２ｆ側が掌Ｆ０によって覆われると共に表示器１３が親指Ｆ１と人差指Ｆ２との間から外部に露出する。
【００４１】
そして、超音波振動子１１の照射面１１ａを患部Ａに当接させると、予め患部Ａ又は超音波振動子１１の照射面１１ａに塗布したジェルを介して患部Ａに超音波が照射される。この超音波照射時においては、患部Ａと第一ユニット１との位置関係を確認するために、施術者の視線Ｅ１が患部Ａ付近に集中する。
【００４２】
次に、超音波の設定値を変更する際には、施術者が第一筐体１２の把持の仕方を変更する。具体的には、図１２に示すように、他側部１２ｄに沿わしていた四本指Ｆ２〜Ｆ５、及び、第一筐体１２の主板部１２ｂに位置させていた掌Ｆ０を、他側部１２ｄを経由して基板部１２ａ側に回り込ませる。
このようにして第一ユニット１を四本指Ｆ２〜Ｆ５と掌Ｆ０とで支持しつつ、親指Ｆ１を自由な状態にする。
【００４３】
この状態において、所望の設定値となるように、表示器１３を視認しつつ操作キー１４を親指Ｆ１で押下して設定値を変更する。この超音波の設定値の変更においては、表示器１３が超音波振動子１１に背向する位置に配設されていることから、患部Ａ近傍に集中していた視線Ｅ１を殆どずらさずに、設定値が視認される（視線Ｅ２）。このようにして、表示器１３を視認しつつ、操作キー１４を押下して設定値を変更する。この際、施術者の視界に、超音波振動子１１と患部Ａとの位置関係が入っていることから、超音波振動子１１と患部Ａとの位置ずれや間隙が生じ難くなる。
【００４４】
また、表示器１３が視認し難い角度の場合には、第一筐体１２から突出する超音波振動子１１の照射面１１ａを患部Ａに当接させると共に、照射面１１ａを回転中心にしつつ第一ユニット１の姿勢を変更する。このようにすることで、表示器１３が視認し難いものであっても、患部Ａから照射面１１ａを位置ずれさせることなく、表示器１３を視認することが可能となる。
そして、超音波の設定値の変更が完了したら、図１１に示すように、施術者が再び第一筐体１２を挟持する。
【００４５】
一方、メイン制御部２１Ａは、変更された設定値に応じた駆動信号を駆動信号生成部２１Ｂに生成させて超音波振動子１１に供給させる。
このようにして、超音波振動子１１の照射面１１ａを患部Ａに当接させると、超音波振動子１１から設定値に対応する超音波が患部Ａに照射される。
【００４６】
以上説明したように、本実施形態に係る超音波治療器Ｔによれば、施術者に対して右手の指Ｆ１を沿わせるガイド部１２ｇが一側部１２ｃに、また、右手の指Ｆ２〜５を沿わせるガイド部１２ｈが他側部１２ｄにそれぞれ形成されているので、施術者が不作為に第一筐体１２を右手で把持しようとした場合に、ガイド部１２ｇに右手の指Ｆ１を、またガイド部１２ｈに右手の指Ｆ２〜Ｆ５を沿わせるようにガイドされる。
また、施術者がガイド部１２ｇに右手の指Ｆ１を、またガイド部１２ｈに右手の指Ｆ２〜Ｆ５を沿わせて第一筐体１２を挟持した場合に、表示器１３が外部に露出するので、右手の指Ｆ１〜Ｆ５をガイド部１２ｇ，１２ｈに沿わせた状態で第一筐体１２を挟持すると、表示器１３が露出して視認可能となる。これにより、第一筐体１２を把持する場合に、表示器１３が手で覆われて視認不能となることを抑制することができる。従って、第一筐体１２を把持し直す必要がなくなるので、患部Ａを治療し易くすることができる。
【００４７】
また、一側部１２ｃ及び他側部１２ｄが第一筐体１２の円弧先端部１２ｅ側から円弧基端部１２ｆ側に向けて延びており、ガイド部１２ｇ，１２ｈが一側部１２ｃ及び他側部１２ｄに沿って延びているので、第一筐体１２の長手方向においてガイド部１２ｇ，１２ｈを比較的に大きく確保することができる。これにより、第一筐体１２を安定して支持することが可能となる。
【００４８】
また、ガイド部１２ｇ，１２ｈが表示器１３を挟む位置に設けられているので、親指Ｆ１と人差指Ｆ２との隙間から表示器１３を露出させる構成が可能となる。これにより、第一筐体１２の長手方向において、表示器１３と重なる位置に操作者の指Ｆ１〜Ｆ５を位置させることができるので、装置構成をコンパクトにすることができる。
【００４９】
また、表示器１３が第一筐体１２の円弧先端部１２ｅ側に設けられているので、第一筐体１２の中央側に表示器１３を設ける場合に比べて、施術者の右手によって把持される部分を第一筐体１２の円弧先端部１２ｅ側に大きく確保することができる。
【００５０】
また、超音波振動子１１と表示器１３とが相互に背向する位置に設けられているので、超音波振動子１１が当接する患部Ａと表示器１３とが近接する。これにより、患部Ａに超音波を照射する場合に表示器１３が確認し易くなり、さらに患部Ａを治療し易くすることができる。
【００５１】
さらに、本実施形態に係る超音波治療装置Ｕによれば、第一ユニット１の、第一筐体１２の基板部１２ａ側に嵌合可能に形成された座面３１を有し、第一ユニット１を座面３１に着座可能な台座３を有しているので、治療開始前の第一ユニット１の姿勢が定まることから、治療開始時において第一ユニット１のガイド部１２ｇ，１２ｈを容易に把持することが可能となる。
【００５２】
また、ガイド部１２ｇ，１２ｈに対向して第一ユニット１との間にポケット３６，３７を形成する窪み部３４，３５が形成されているので、治療開始時にポケット３６に親指Ｆ１を、またポケット３７に指Ｆ２〜Ｆ５を挿入することにより、親指Ｆ１をガイド部１２ｇに、また指Ｆ２〜Ｆ５をガイド部１２ｈにそれぞれ案内することができ、第一筐体１２のガイド部１２ｇ，１２ｈを容易に把持することができる。
【００５３】
なお、上述した実施の形態において示した動作手順、あるいは各構成部材の諸形状や組み合わせ等は一例であって、本発明の主旨から逸脱しない範囲において設計要求等に基づき種々変更可能である。
例えば、上述した実施の形態においては、施術者と治療者とが異なる者である場合について説明したが、施術者と治療者とが同一の者であってもよい。
また、上述した実施の形態においては、右手で第一ユニット１を把持したが、左手で第一ユニット１を把持してもよい（この場合、親指Ｆ１と四本指Ｆ２〜Ｆ５とを沿わせる位置（一側部１２ｃ、他側部１２ｄ）は、上記と逆になる。）。なお、両手を用いて把持及び操作しても構わない。
【００５４】
また、上述した実施の形態では、インターフェース１６を備える構成としたが、表示器１３、操作キー１４及びブザー１５と、制御器２１とが直接信号を入出力する構成にしてもよい。
【００５５】
また、上述した実施の形態では、ガイド１２ｇ，１２ｈを一側部１２ｃ、他側部１２ｄの双方に形成したが、必ずしも双方に形成する必要はなく、一方だけに形成してもよい。
また、上述した実施の形態では、外部電源から制御器２１に電力を供給する構成にしたが、内蔵電源を設けて電力を供給してもよい。
【００５６】
また、上述した実施の形態では、操作キー１４を第一筐体１２に設ける構成としたが、操作キー１４を例えば第二ユニット２に設ける構成としてもよい。すなわち、操作キー１４は、操作に慣れれば感覚的に押下することが可能であるために、表示器１３が第一筐体１２に設けられていれば、患部Ａ及び第一ユニット１から視線を外すことなく、超音波の設定値を変更することが可能である。
【００５７】
また、上述した実施の形態では、ガイド部１２ｇ，１２ｈを、一側部１２ｃ、他側部１２ｄから接続コード１９が延在する円弧基端部１２ｆまで延在させたが、一側部１２ｃ、他側部１２ｄだけに形成してもよい。
【符号の説明】
【００５８】
１…第一ユニット
２…第二ユニット
３…台座
１１…超音波振動子
１１ａ…照射面
１２…第一筐体
１２ａ…基板部
１２ｂ…主板部
１２ｃ…一側部（側部）
１２ｄ…他側部（側部）
１２ｈ，１２ｇ…ガイド部
１３…表示器
２１…制御器
２２…第二筐体
３１…座面
３４，３５…窪み部
３６，３７…ポケット
Ａ…患部
Ｔ…超音波治療器
Ｕ…超音波治療装置
Ｅ（Ｅ１，Ｅ２）…視線
Ｆ…指
Ｆ１…親指（指）
Ｆ２…人差指（指）
Ｆ２〜Ｆ５…四本指（指）
【図１】
2012115442.tif 000003
【図２】
2012115442.tif 000004
【図３】
2012115442.tif 000005
【図４】
2012115442.tif 000006
【図５】
2012115442.tif 000007
【図６】
2012115442.tif 000008
【図７】
2012115442.tif 000009
【図８】
2012115442.tif 000010
【図９】
2012115442.tif 000011
【図１０】
2012115442.tif 000012
【図１１】
2012115442.tif 000013
【図１２】
2012115442.tif 000014